(57)【要約】【課題】章との連結作業を非常に簡易かつ迅速に行うことができ、コスト低減が可能となるばかりでなく、表側に縫い糸が見えなくなることにより、見栄えが良くなり外観品質が向上し、しかも、確実かつ強固に章に連結することができる勲章の綬を提供する。【解決手段】章２に予め一体に設けられた吊り環３に対して着脱自在な連結具２０を備え、連結具２０は、綬１０本体の適所に留める取付片２１と、該取付片２１より細幅状に一体に延出する折曲舌片２３とから成り、折曲舌片２３を吊り環３に通した後、該吊り環３の途中を巻き込む状態で折り曲げることにより、章２に連結する。【選択図】図１
0003097166.tif 000002
【実用新案登録請求の範囲】
【請求項１】
勲功を表彰して授与される勲章において、その章を吊り下げるのに組み合わされる綬であって、
前記章に予め一体に設けられた吊り環に対して着脱自在な連結具を備え、
前記連結具は、綬本体の適所に留める取付片と、該取付片より細幅状に一体に延出する折曲舌片とから成り、
前記折曲舌片を前記吊り環に通した後、該吊り環の途中を巻き込む状態で折り曲げることにより、章に連結することを特徴とする勲章の綬。
【請求項２】
前記取付片は両側方向に延びる形状であって、前記綬本体の下端部に両側方向に延びる状態に留められ、前記折曲舌片は、前記取付片の下端縁の中央より下方へ垂下する状態に延出し、
前記折曲舌片を前記吊り環に通した後、該吊り環の途中を巻き込む状態で手前上方へ略１８０度折り曲げることにより、章に連結することを特徴とする請求項１記載の勲章の綬。
【請求項３】
勲功を表彰して授与される勲章において、その章を吊り下げるのに組み合わされる綬であって、
前記章に予め一体に設けられた吊り環に対して着脱自在な連結具を備え、
前記連結具は、綬本体の適所に留める取付片と、該取付片より下方へ細幅状に一体に延出する折曲舌片と、該取付片より上方へ細幅状に一体に延出する補助折曲舌片とから成り、
前記折曲舌片を前記吊り環に通した後、該吊り環の途中を巻き込む状態で折り曲げ、かつ前記補助折曲舌片を、前記折り曲げた折曲舌片に重ね合わせるように折り曲げることにより、章に連結することを特徴とする勲章の綬。
【請求項４】
前記取付片は両側方向に延びる形状であって、前記綬本体の下端部に両側方向に延びる状態に留められ、前記折曲舌片は、前記取付片の下端縁の中央より下方へ垂下する状態に延出し、前記補助折曲舌片は、前記取付片の上端縁の中央より上方へ延出し、
前記折曲舌片を前記吊り環に通した後、該吊り環の途中を巻き込む状態で手前上方へ略１８０度折り曲げ、かつ前記補助折曲舌片を、前記折り曲げた折曲舌片に重ね合わせるように手前下方へ略１８０度折り曲げることにより、章に連結することを特徴とする請求項３記載の勲章の綬。
【請求項５】
前記折曲舌片の先端縁を略半円形に形成したことを特徴とする請求項１または２記載の勲章の綬。
【請求項６】
前記折曲舌片の途中に部分的にさらに細幅となる括れ部を形成したことを特徴とする請求項１，２または５記載の勲章の綬。
【請求項７】
前記折曲舌片および前記補助折曲舌片の各先端縁をそれぞれ略半円形に形成したことを特徴とする請求項３または４記載の勲章の綬。
【請求項８】
前記折曲舌片および前記補助折曲舌片の各途中にそれぞれ部分的にさらに細幅となる括れ部を形成したことを特徴とする請求項３，４または７記載の勲章の綬。
【請求項９】
前記取付片を両側方向に延びる楕円形に形成したことを特徴とする請求項１，２，３，４，５，６，７または８記載の勲章の綬。
【請求項１０】
前記綬本体は上下に折り返して、該綬本体の上部に止着されたフックを、該綬本体の下部に止着された半環状の引掛子に掛止した状態で使用されるものであり、
前記引掛子の両側の先端部は綬本体の内面側まで貫通され、該貫通された両先端部を、それぞれ前記連結具の取付片の両側部に設けられた一対の留め孔に通して折り曲げることにより、前記綬本体に前記取付片を止着することを特徴とする請求項１，２，３，４，５，６，７，８または９記載の勲章の綬。
【請求項１１】
前記折曲舌片を、前記吊り環に連結しない延ばした状態では、その先端縁が前記綬本体の外観上に表れ、前記吊り環に通した後に折り曲げた状態では、前記綬本体の折り込み形状の内部に総て隠れる位置に配置させることを特徴とする請求項１，２，３，４，５，６，７，８，９または１０記載の勲章の綬。
【考案の詳細な説明】
【０００１】
【考案の属する技術分野】
本考案は、勲功を表彰して授与される勲章において、その章を吊り下げるのに組み合わされる綬に関する。ここで勲章とは、我が国の栄典制度により定められている、大勲位菊花大綬章、旭日桐花大綬章、旭日章（勲一等〜勲八等）、宝冠章（勲一等〜勲八等）、瑞宝章（勲一等〜勲八等）、および文化勲章に限られるものではなく、同じく国により付与される褒章の他、各種の記章や記念メダルの類も含むものとする。
【０００２】
【従来の技術】
勲章には、一般にリボン地から成り章を吊り下げる綬が組み合わされており、勲章を佩用する際は、綬の部分を礼服等の左胸の部分にタイピン式の留め具を介して取り付けることが多い。この種の勲章の綬としては、例えば、実用新案登録文献１に示すようなものがある。
【０００３】
すなわち、綬は留め具のバー状部分に巻き掛けた状態で上下に折り返して、綬の上端部にあるフックを、該綬の下端部にある半環状の引掛子に掛止した状態で使用されるものである。かかる綬と章との連結は、実用新案登録文献１の図面中には表れていないが詳細に説明すると、章に予め一体に設けられた吊り環を絹糸で綬の下端部に絹糸で縫い付けていた。
【０００４】
【実用新案登録文献１】
実開昭６１−１７２５１６号公報
【０００５】
【考案が解決しようとする課題】
しかしながら、前述したような従来の技術では、綬と章との連結時に章に設けられた吊り環を絹糸で綬の下端部に縫い付ける作業が必要であり、非常に面倒な作業となり煩わしく、時間がかかりコストが嵩むという問題点があった。
【０００６】
また、章は銀製であるため傷付きやすく、縫い付ける作業中に傷付く可能性が高く、また、縫う際に章に手で触れると錆の原因となる。しかも、絹糸が綬の表側に露出するのは避けられず、外観品質が損なわれるという問題点もあった。なお、作業場の温度や湿度の調整も必要であった。
【０００７】
本考案は、以上のような従来技術が有する問題点に着目してなされたもので、章との連結作業を非常に簡易かつ迅速に行うことができ、コスト低減が可能となるばかりでなく、表側に縫い糸が見えなくなることにより、見栄えが良くなり外観品質が向上し、しかも、確実かつ強固に章に連結することができる勲章の綬を提供することを目的としている。
【０００８】
【課題を解決するための手段】
前述した目的を達成するための本考案の要旨とするところは、次の各項の考案に存する。
［１］勲功を表彰して授与される勲章（１）において、その章（２）を吊り下げるのに組み合わされる綬（１０）であって、
前記章（２）に予め一体に設けられた吊り環（３）に対して着脱自在な連結具（２０）を備え、
前記連結具（２０）は、綬本体（１１）の適所に留める取付片（２１）と、該取付片（２１）より細幅状に一体に延出する折曲舌片（２３）とから成り、
前記折曲舌片（２３）を前記吊り環（３）に通した後、該吊り環（３）の途中を巻き込む状態で折り曲げることにより、章（２）に連結することを特徴とする勲章（１）の綬（１０）。
【０００９】
［２］前記取付片（２１）は両側方向に延びる形状であって、前記綬本体（１１）の下端部に両側方向に延びる状態に留められ、前記折曲舌片（２３）は、前記取付片（２１）の下端縁の中央より下方へ垂下する状態に延出し、
前記折曲舌片（２３）を前記吊り環（３）に通した後、該吊り環（３）の途中を巻き込む状態で手前上方へ略１８０度折り曲げることにより、章（２）に連結することを特徴とする［１］記載の勲章（１）の綬（１０）。
【００１０】
［３］勲功を表彰して授与される勲章（１）において、その章（２）を吊り下げるのに組み合わされる綬（１０）であって、
前記章（２）に予め一体に設けられた吊り環（３）に対して着脱自在な連結具（２０Ａ）を備え、
前記連結具（２０Ａ）は、綬本体（１１）の適所に留める取付片（２１Ａ）と、該取付片（２１Ａ）より下方へ細幅状に一体に延出する折曲舌片（２３）と、該取付片（２１Ａ）より上方へ細幅状に一体に延出する補助折曲舌片（２４）とから成り、
前記折曲舌片（２３）を前記吊り環（３）に通した後、該吊り環（３）の途中を巻き込む状態で折り曲げ、かつ前記補助折曲舌片（２４）を、前記折り曲げた折曲舌片（２３）に重ね合わせるように折り曲げることにより、章（２）に連結することを特徴とする勲章（１）の綬（１０）。
【００１１】
［４］前記取付片（２１Ａ）は両側方向に延びる形状であって、前記綬本体（１１）の下端部に両側方向に延びる状態に留められ、前記折曲舌片（２３）は、前記取付片（２１Ａ）の下端縁の中央より下方へ垂下する状態に延出し、前記補助折曲舌片（２４）は、前記取付片（２１Ａ）の上端縁の中央より上方へ延出し、
前記折曲舌片（２３）を前記吊り環（３）に通した後、該吊り環（３）の途中を巻き込む状態で手前上方へ略１８０度折り曲げ、かつ前記補助折曲舌片（２４）を、前記折り曲げた折曲舌片（２３）に重ね合わせるように手前下方へ略１８０度折り曲げることにより、章（２）に連結することを特徴とする［３］記載の勲章（１）の綬（１０）。
【００１２】
［５］前記折曲舌片（２３）の先端縁を略半円形に形成したことを特徴とする［１］または［２］記載の勲章（１）の綬（１０）。
【００１３】
［６］前記折曲舌片（２３Ａ）の途中に部分的にさらに細幅となる括れ部（２５）を形成したことを特徴とする［１］，［２］または［５］記載の勲章（１）の綬（１０）。
【００１４】
［７］前記折曲舌片（２３）および前記補助折曲舌片（２４）の各先端縁をそれぞれ略半円形に形成したことを特徴とする［３］または［４］記載の勲章（１）の綬（１０）。
【００１５】
［８］前記折曲舌片（２３）および前記補助折曲舌片（２４）の各途中にそれぞれ部分的にさらに細幅となる括れ部（２５）を形成したことを特徴とする［３］，［４］または［７］記載の勲章（１）の綬（１０）。
【００１６】
［９］前記取付片（２１Ｂ）を両側方向に延びる楕円形に形成したことを特徴とする［１］，［２］，［３］，［４］，［５］，［６］，［７］または［８］記載の勲章（１）の綬（１０）。
【００１７】
［１０］前記綬本体（１１）は上下に折り返して、該綬本体（１１）の上部に止着されたフック（１２）を、該綬本体（１１）の下部に止着された半環状の引掛子（１３）に掛止した状態で使用されるものであり、
前記引掛子（１３）の両側の先端部（１４）は綬本体（１１）の内面側まで貫通され、該貫通された両先端部（１４）を、それぞれ前記連結具（２０，２０Ａ）の取付片（２１，２１Ａ，２１Ｂ）の両側部に設けられた一対の留め孔（２２）に通して折り曲げることにより、前記綬本体（１１）に前記取付片（２１，２１Ａ，２１Ｂ）を止着することを特徴とする［１］，［２］，［３］，［４］，［５］，［６］，［７］，［８］または［９］記載の勲章（１）の綬（１０）。
【００１８】
［１１］前記折曲舌片（２３，２３Ａ）を、前記吊り環（３）に連結しない延ばした状態では、その先端縁が前記綬本体（１１）の外観上に表れ、前記吊り環（３）に通した後に折り曲げた状態では、前記綬本体（１１）の折り込み形状の内部に総て隠れる位置に配置させることを特徴とする［１］，［２］，［３］，［４］，［５］，［６］，［７］，［８］，［９］または［１０］記載の勲章（１）の綬（１０）。
【００１９】
前記本考案は次のように作用する。
本考案に係る勲章（１）の綬（１０）は、章（２）に予め一体に設けられた吊り環（３）に対して着脱自在な連結具（２０）を備えており、綬（１０）と章（２）との連結に際しては、連結具（２０）の折曲舌片（２３）を吊り環（３）に通した後、該吊り環（３）の途中を巻き込む状態で折り曲げる。それにより、かかる連結作業を非常に簡易かつ迅速に行うことができ、コスト低減が可能となる。
【００２０】
前記連結具（２０）は、具体的には例えば、前記取付片（２１）を両側方向に延びる形状として、前記綬本体（１１）の下端部に両側方向に延びる状態に留めるようにし、また、前記折曲舌片（２３）は、前記取付片（２１）の下端縁の中央より下方へ垂下する状態に延出するように形成するとよい。
【００２１】
ここで取付片（２１）の部位は、綬本体（１１）に強固に止着することが可能となり、折曲舌片（２３）の部位は、その構造上容易に折り曲げ可能であり、前記吊り環（３）に通した後、該吊り環（３）の途中を巻き込む状態で手前上方へ略１８０度折り曲げることで、極めて簡単な手作業で前記吊り環（３）に連結させることができる。もちろん、折曲舌片（２３）を手前下方へ再び折り返して、取付片（２１）と平面状に連なる元の状態に戻せば、簡単に章（２）を外すこともできる。
【００２２】
また、他の連結具（２０Ａ）として、取付片（２１Ａ）より下方へ細幅状に一体に延出する折曲舌片（２３）のみならず、該取付片（２１Ａ）より上方へ細幅状に一体に延出する補助折曲舌片（２４）も備える場合には、綬（１０）と章（２）との連結に際しては、折曲舌片（２３）を吊り環（３）に通した後、該吊り環（３）の途中を巻き込む状態で折り曲げ、かつ補助折曲舌片（２４）を、前記折り曲げた折曲舌片（２３）に重ね合わせるように折り曲げる。
【００２３】
それにより、補助折曲舌片（２４）を折り曲げる分だけ多少手間はかかるが、吊り環（３）の途中を直接巻き込む折曲舌片（２３）は、さらに補助折曲舌片（２４）により押さえられるので、折曲舌片（２３）が不用意に開くように戻ったり、折曲舌片（２３）の先端縁の隙間から吊り環（３）が外れるおそれもなく、いっそう確実かつ強固に綬（１０）に章（２）を連結することが可能となる。もちろん、折曲舌片（２３）と補助折曲舌片（２４）とを再び折り返して元の状態に戻せば、簡単に章（２）から綬（１０）を外すこともできる。
【００２４】
このような他の連結具（２０Ａ）は、具体的には例えば、前記取付片（２１Ａ）を両側方向に延びる形状として、前記綬本体（１１）の下端部に両側方向に延びる状態に留めるようにし、また、前記折曲舌片（２３）は、前記取付片（２１Ａ）の下端縁の中央より下方へ垂下する状態に延出し、前記補助折曲舌片（２４）は、前記取付片（２１Ａ）の上端縁の中央より上方へ延出するように形成するとよい。
【００２５】
また、綬（１０）と章（２）との連結作業時に、手作業で指が触れるであろう前記折曲舌片（２３）や前記補助折曲舌片（２４）の下端縁を略半円形に形成すれば、指が傷付くことを防止することができ、安全性も確保される。
【００２６】
また、前記折曲舌片（２３，２３Ａ）や前記補助折曲舌片（２４）の各途中に部分的にさらに細幅となる括れ部（２５）を形成すれば、折曲舌片（２３，２３Ａ）をその括れ部（２５）で容易に折り曲げることができ、逆に言えば他の部位での折れ曲げを防止することができる。
【００２７】
また、前記取付片（２１Ｂ）を両側方向に延びる楕円形に形成すれば、かかる取付片（２１Ｂ）に手が触れたり、あるいは連結具（２０，２０Ａ）の綬本体（１１）に対する取り付け作業時に、指が傷付くことを防止することができ、よりいっそうと安全性を高めることができる。
【００２８】
本考案に係る勲章（１）を佩用する際は、綬本体（１１）を留め具のバー状部分に巻き掛けた状態で上下に折り返して、該綬本体（１１）の上部に止着されたフック（１２）を、該綬本体（１１）の下部に止着された半環状の引掛子（１３）に掛止した状態で使用するものであり、前記引掛子（１３）の両側の先端部（１４）は綬本体（１１）の内面側まで貫通している。
【００２９】
かかる両先端部（１４）を、それぞれ前記連結具（２０，２０Ａ）の取付片（２１）の両側部に設けられた一対の留め孔（２２）に通して折り曲げることにより、取付片（２１，２１Ａ，２１Ｂ）すなわち連結具（２０，２０Ａ）を綬本体（１１）に確実に止着することができる。ここで綬本体（１１）にいったん止着した連結具（２０，２０Ａ）は、その後は取り外すことはなく、連結具（２０，２０Ａ）の折曲舌片（２３，２３Ａ）の折り曲げないし折り返しただけで、簡易かつ迅速に章（２）に着脱することができる。
【００３０】
さらに、前記折曲舌片（２３，２３Ａ）を、前記吊り環（３）に連結しない延ばした状態では、その先端縁が前記綬本体（１１）の外観上に表れ、前記吊り環（３）に通した後に折り曲げた状態では、前記綬本体（１１）の折り込み形状の内部に総て隠れる位置に配置させれば、章（２）との連結作業時に折曲舌片（２３，２３Ａ）を視覚的に直ぐに認識することができ、一方、章（２）との連結後は、連結具（２０，２０Ａ）は総て隠れるので、勲章（１）全体の見栄えに影響することはない。
【００３１】
【考案の実施の形態】
以下、図面に基づき本考案を代表する各種実施の形態を説明する。
図１〜図８は本考案の第１実施の形態を示している。
本実施の形態に係る綬１０は、図７，図８に示すように、勲章１の章２を吊り下げるために組み合わされるリボン地である。ここで勲章１とは、我が国の栄典制度により定められている勲章や褒賞のみに限られるものではなく、各種の記章や記念メダルの類も含むものとする。
【００３２】
図１に示すように、綬１０は、一定幅のリボン地から成る綬本体１１を所定の態様に折り曲げた状態に形成されており、図５等に示す章２に予め一体に設けられた吊り環３に対して着脱自在な連結具２０を備えている。なお、綬本体１１は、勲章１（章２）の種類に応じた特定の色に染められ、さらに表裏面には、例えば図示したように、両側端縁に沿って平行に延びる一対のライン等の模様が施されている。
【００３３】
連結具２０は、綬本体１１の適所に留める取付片２１と、該取付片２１より細幅状に一体に延出する折曲舌片２３とから成る。図５ないし図６に示すように、折曲舌片２３を前記章２の吊り環３に通した後、該吊り環３の途中を巻き込む状態で折り曲げることにより、連結具２０（すなわち綬１０）は章２に連結されるようになっている。なお、連結具２０は金属片等の可塑性材質から成り、該連結具２０の折曲舌片２３は繰り返し章２の吊り環３に対して着脱自在なものである。
【００３４】
連結具２０の取付片２１は、両側方向に延びる矩形状であって、綬本体１１の下端部に両側方向に延びる状態に予め留められる。また、連結具２０の折曲舌片２３は、前記取付片２１の下端縁の中央より下方へ垂下する状態に延出するように成形されている。かかる折曲舌片２３は、前記章２の吊り環３に通した後、該吊り環３の途中を巻き込む状態で手前上方へ略１８０度折り曲げるようになっている。また、折曲舌片２３の先端縁は略半円形に形成されている。
【００３５】
連結具２０は、その折曲舌片２３の先端縁が綬本体１１の下端部においてリボン地の折り返し元の略三角形の隙間から覗ける位置に留められている。すなわち、連結具２０の折曲舌片２３は、前記吊り環３に連結しない延ばした状態では、その先端縁が綬本体１１の外観上に表れ、前記吊り環３に通した後に折り曲げた状態では、綬本体１１の折り込み形状の内部に総て隠れる位置に配置されている。
【００３６】
綬本体１１における前述した位置に連結具２０は予め留められているが、図２に示すように、連結具２０の取付片２１の両側部には、一対の留め孔２２が穿設されており、各留め孔２２に、綬本体１１の内面側に貫通した次述する引掛子１３の両先端部１４を通して互いに対向するように折り曲げることで、綬本体１１に取付片２１は確実に止着されている。
【００３７】
図７，図８に示すように、綬１０は、図示省略した留め具のバー状部分に巻き掛けた状態で、上下に折り返して使用されるものである。ここで綬本体１１の上端部には鈎状のフック１２が止着され、綬本体１１の下端部には半環状の引掛子１３が止着されており、フック１２を引掛子１３に掛止することで、綬１０を上下に折り返した状態に維持できるようになっている。
【００３８】
引掛子１３は、図示した形状に細い針金を曲げて形成されており、半環状の両端に相当するループ部位のさらに先端部１４は、それぞれ綬本体１１の内面側まで貫通され、該貫通された両先端部１４が、前記連結具２０の取付片２１にある一対の留め孔２２に通されて折り曲げられている。
【００３９】
次に作用を説明する。
勲章１を佩用する際は、綬１０を礼服等の左胸の部分にタイピン式の留め具を介して取り付ける。すなわち、図７，図８に示すように、綬１０は、図示省略した留め具のバー状部分に巻き掛けた状態で上下に折り返して、綬本体１１の上端部にあるフック１２を、綬本体１１の下端部にある半環状の引掛子１３に掛止した状態で使用する。
【００４０】
このような勲章１の綬１０は、章２に予め一体に設けられた吊り環３に対して着脱自在な連結具２０を備えており、綬１０と章２との連結に際しては、図５において連結具２０の折曲舌片２３を吊り環３に通した後、図６において折曲舌片２３を吊り環３の途中を巻き込む状態で手前上方へ略１８０度折り曲げるだけでよい。
【００４１】
それにより、綬１０と章２との連結作業を非常に簡易かつ迅速に行うことができ、コスト低減が可能となる。もちろん、折曲舌片２３を手前下方へ再び折り返すことにより、折曲舌片２３を取付片２１と平面状に連なる元の状態に戻せば、簡単に章２から綬１０を外すこともできる。綬１０と章２との連結作業時に、手作業で指が触れるであろう前記折曲舌片２３の下端縁は略半円形に形成されているので、指が傷付くことを防止することができ、安全性も確保される。
【００４２】
また、連結具２０における取付片２１は、両側方向に延びる形状であり、取付片２１の両側部にある一対の留め孔２２に、それぞれ綬本体１１の内面側に貫通した引掛子１３の両先端部１４を通して互いに対向するように折り曲げることで、綬本体１１に取付片２１は確実に止着される。
【００４３】
従って、綬１０と章２との着脱を繰り返しても、連結具２０が綬本体１１から容易に外れるおそれはない。綬本体１１にいったん止着した連結具２０は、その後は取り外すことはなく、連結具２０の折曲舌片２３の折り曲げないし折り返しただけで、簡易かつ迅速に章２に連結することができる。
【００４４】
図１に示すように、前記折曲舌片２３を、吊り環３に連結しない延ばした状態では、その先端部１４が前記綬本体１１の外観上に表れるが、図７に示すように、前記折曲舌片２３を、吊り環３に通した後に折り曲げた状態では、綬本体１１の折り込み形状の内部に連結具２０全体が総て隠れる。
【００４５】
それにより、綬１０と章２との連結する際には、折曲舌片２３を視覚的に直ぐに認識することができる。一方、綬１０と章２との連結した後は、連結具２０は総て隠れるので、勲章１全体の見栄えに影響することはなく、外観品質を高めることができる。
【００４６】
図９〜図１２は、本考案の第２実施の形態を示している。
本実施の形態は、連結具２０Ａの構成が、前記第１実施の形態に係る連結具２０とは異なる。すなわち、連結具２０Ａは、綬本体１１の適所に留める取付片２１Ａと、該取付片２１Ａより下方へ細幅状に一体に延出する折曲舌片２３と、該取付片２１Ａより上方へ細幅状に一体に延出する補助折曲舌片２４とから成る。
【００４７】
図９に示すように、連結具２０Ａの取付片２１Ａは、両側方向に延びる形状であって、綬本体１１の下端部に両側方向に延びる状態に予め留められる。ここで取付片２１Ａの両端縁は、それぞれ略半円形に形成したが、もちろん、前記第１実施の形態の取付片２１と同様に矩形状に形成しても良い。
【００４８】
また、連結具２０Ａの折曲舌片２３は、前記取付片２１Ａの下端縁の中央より下方へ垂下する状態に延出し、連結具２０Ａの補助折曲舌片２４は、前記取付片２１Ａの上端縁の中央より上方へ延出しており、連結具２０Ａは全体として略十字形に形成されている。かかる連結具２０Ａも、綬本体１１の下端部を成すリボン地の折り返し元の位置に留められ、章２の吊り環３に連結した状態では、綬本体１１の折り込み形状の内部に総て隠れるように配置される。
【００４９】
図１０〜図１２において、連結具２０Ａを章２の吊り環３に連結するには、先ず図１０に示すように、折曲舌片２３を吊り環３に通した後、図１１に示すように、折曲舌片２３を吊り環３の途中を巻き込む状態で手前上方へ略１８０度折り曲げる。続いて図１２に示すように、補助折曲舌片２４を、前記折り曲げた折曲舌片２３に重ね合わせるように手前下方へ略１８０度折り曲げるとよい。
【００５０】
それにより、綬１０と章２との連結作業を非常に簡易かつ迅速に行うことができ、補助折曲舌片２４を折り曲げる分だけ前記第１実施の形態の場合より多少手間はかかるが、吊り環３の途中を直接巻き込む折曲舌片２３は、さらに補助折曲舌片２４により押さえられるので、折曲舌片２３が不用意に開くように戻ったり、折曲舌片２３の先端縁の隙間から吊り環３が外れるおそれもなく、いっそう確実かつ強固に綬１０に章２を連結することが可能となる。もちろん、折曲舌片２３と補助折曲舌片２４を再び折り返して元の平面状の状態に戻せば、簡単に章２から綬１０を外すこともできる。
【００５１】
なお、第２実施の形態において、前記第１実施の形態と同種の部位には同一符号を付して重複した説明を省略する。また、前述したが、取付片２１Ａの両端縁をそれぞれ略半円形ではなく、前記第１実施の形態の取付片２１と同様に矩形状に形成してもよい。さらに、第１，第２実施の形態の折曲舌片２３の先端縁や、第２実施の形態の補助折曲舌片２４の先端縁は、それぞれ略半円形に形成したが、例えば折り曲げる際に指が傷付かない程度に角取りした矩形としても良いことは言うまでもない。
【００５２】
図１３は、本考案の第３実施の形態を示している。
本実施の形態は、前記連結具２０の折曲舌片２３Ａの途中に部分的にさらに細幅となる括れ部２５を形成したものである。それにより、折曲舌片２３Ａをその括れ部２５で容易に折り曲げることができ、逆に言えば他の部位での折れ曲げを防止することができる。
【００５３】
図１３においては、前記第１実施の形態とほぼ同様な連結具２０の折曲舌片２３Ａに括れ部２５を形成したものを示したが、前記第２実施の形態とほぼ同様な連結具２０Ａの折曲舌片２３と補助折曲舌片２４の各途中に、それぞれ部分的にさらに細幅となる括れ部２５を形成してもよい。なお、第１実施の形態と同種の部位には同一符号を付して重複した説明を省略する。
【００５４】
図１４は、本考案の第４実施の形態を示している。
本実施の形態は、前記連結具２０の取付片２１Ｂを両側方向に延びる楕円形に形成したものである。それにより、取付片２１Ｂに手が触れたり、あるいは連結具２０の綬本体１１に対する取り付け作業時に、指が傷付くことを防止することができ、よりいっそうと安全性を高めることができる。もちろん、前記第２実施の形態の連結具２０Ａの前記取付片２１Ａを、取付片２１Ｂとして形成してもよいことは言うまでもない。なお、第１実施の形態と同種の部位には同一符号を付して重複した説明を省略する。
【００５５】
以上、本考案の実施の形態を図面によって説明してきたが、具体的な構成は前述した実施の形態に限られるものではなく、本考案の要旨を逸脱しない範囲における変更や追加があっても本考案に含まれる。
【００５６】
【考案の効果】
本考案に係る勲章の綬によれば、章に予め一体に設けられた吊り環に対して着脱自在な連結具を備え、連結具は、綬本体の適所に留める取付片と、該取付片より細幅状に一体に延出する折曲舌片とから成り、前記折曲舌片を前記吊り環に通した後、該吊り環の途中を巻き込む状態で折り曲げることにより、章との連結作業を誰でも（受賞者でも）非常に簡易かつ迅速に行うことができ、コスト低減が可能となるばかりでなく、綬の表側に縫い糸が見えなくなることにより、見栄えが良くなり外観品質が向上し、しかも、確実かつ強固に章に連結することができる。
【００５７】
また、他の連結具として、前記取付片より下方へ細幅状に一体に延出する前記折曲舌片のみならず、該取付片より上方へ細幅状に一体に延出する補助折曲舌片も備える場合には、補助折曲舌片を折り曲げる分だけ多少手間はかかるが、吊り環の途中を直接巻き込む折曲舌片は、さらに補助折曲舌片により押さえられるので、折曲舌片が不用意に開くように戻ったり、折曲舌片の先端縁の隙間から吊り環が外れるおそれもなく、いっそう確実かつ強固に綬に章を連結することが可能となる。
【００５８】
また、綬と章との連結作業時に、手作業で指が触れるであろう前記折曲舌片の下端縁を略半円形に形成すれば、指が傷付くことを防止することができ、安全性も確保される。
【００５９】
また、前記折曲舌片の途中に部分的にさらに細幅となる括れ部を形成すれば、折曲舌片をその括れ部で容易に折り曲げることができ、逆に言えば他の部位での折れ曲げを防止することができる。
【００６０】
さらに、前記取付片を両側方向に延びる楕円形に形成すれば、かかる取付片に手が触れたり、あるいは連結具の綬本体に対する取り付け作業時に、指が傷付くことを防止することができ、よりいっそうと安全性を高めることができる。
【図面の簡単な説明】
【図１】本考案の第１実施の形態に係る勲章の綬を示す正面図である。
【図２】本考案の第１実施の形態に係る勲章の綬の下端側を一部捲った状態を示す正面図である。
【図３】本考案の第１実施の形態に係る勲章の綬を示す背面図である。
【図４】本考案の第１実施の形態に係る勲章の綬を示す右側面図である。
【図５】本考案の第１実施の形態に係る勲章の綬と章との連結作業の前半工程を示す説明図である。
【図６】本考案の第１実施の形態に係る勲章の綬と章との連結作業の後半工程を示す説明図である。
【図７】本考案の第１実施の形態に係る勲章の綬の使用状態を示す正面図である。
【図８】本考案の第１実施の形態に係る勲章の綬の使用状態を示す背面図である。
【図９】本考案の第２実施の形態に係る勲章の綬の下端側を一部捲った状態を示す正面図である。
【図１０】本考案の第２実施の形態に係る勲章の綬と章との連結作業の前半工程を示す説明図である。
【図１１】本考案の第２実施の形態に係る勲章の綬と章との連結作業の中間工程を示す説明図である。
【図１２】本考案の第２実施の形態に係る勲章の綬と章との連結作業の後半工程を示す説明図である。
【図１３】本考案の第３実施の形態に係る勲章の綬の連結具を拡大して示す正面図である。
【図１４】本考案の第４実施の形態に係る勲章の綬の連結具を拡大して示す正面図である。
【符号の説明】
１…勲章
２…章
３…吊り環
１０…綬
１１…綬本体
１２…フック
１３…引掛子
１４…先端部
２０…連結具
２０Ａ…連結具
２１…取付片
２１Ａ…取付片
２１Ｂ…取付片
２２…留め孔
２３…折曲舌片
２３Ａ…折曲舌片
２４…補助折曲舌片
２５…括れ部
【図１】
0003097166.tif 000003
【図２】
0003097166.tif 000004
【図３】
0003097166.tif 000005
【図４】
0003097166.tif 000006
【図５】
0003097166.tif 000007
【図６】
0003097166.tif 000008
【図７】
0003097166.tif 000009
【図８】
0003097166.tif 000010
【図９】
0003097166.tif 000011
【図１０】
0003097166.tif 000012
【図１１】
0003097166.tif 000013
【図１２】
0003097166.tif 000014
【図１３】
0003097166.tif 000015
【図１４】
0003097166.tif 000016